(57)【要約】【課題】  希釈カップを垂直方向に移送することで、設置スペースを大幅に減少させることができ、廃棄する希釈液や洗浄水を下方に自重落下或は吸引ポンプで強制廃棄して、キャリーオーバーを防止することができ、温度の影響を受け易い免疫分析において、最適な反応温度が00られる希釈装置を提供する。【解決手段】  希釈装置を、上部に開設されてなるピペット用開口の真下に順次移送される断面略凹状のカップが周方向に沿って複数個形成されてなるロータと、該ロータを垂直方向へと回転させてカップを液注入位置・液廃棄位置・洗浄位置・エアー吐出位置へと順次移送するように回転制御するロータ駆動装置と、液廃棄位置に前後進可能に配置されカップ内に水や洗剤を吐出・吸引する水・洗剤供給装置と、洗浄位置に配置されカップ内に洗浄水を供給する洗浄装置と、エアー吐出位置に配置されカップ内に乾燥用エアーを吐出するエアー供給装置と、を有して構成した。
2009090990.tif 000002
【特許請求の範囲】
【請求項１】
上部に開設されてなるピペット用開口の真下に順次移送される断面略凹状のカップが周方向に沿って複数個形成されてなるロータと、該ロータを垂直方向へと回転させてカップを液注入位置・液廃棄位置・洗浄位置・エアー吐出位置へと順次移送するように回転制御するロータ駆動装置と、上記液廃棄位置に前後進可能に配置され上記カップ内に水及び／又は洗剤を吐出・吸引する水・洗剤供給装置と、上記洗浄位置に配置され上記カップ内に洗浄水を供給する洗浄装置と、上記エアー吐出位置に配置され上記カップ内に乾燥用エアーを吐出するエアー供給装置と、を有して構成され、上記液廃棄位置・洗浄位置内の液体は、下方に自重落下或いはポンプで強制廃棄されることを特徴とする希釈装置。
【請求項２】
前記ロータには、前記カップ間に放射状のエアー流路を開設し、該エアー流路は、ロータの中心に開設されたエアー供給口からエアーが供給可能に連通接続されていることを特徴とする請求項１に記載の希釈装置。
【発明の詳細な説明】
【技術分野】
【０００１】
この発明は、例えば免疫自動分析装置に用いられる希釈装置に係り、特に、数十万倍の希釈が可能で、かつ、キャリーオーバーを防止することができると共に、温度の影響を受け易い免疫分析において、最適な反応温度を得ることができる全く新規な方式の希釈装置に関する。
【背景技術】
【０００２】
各種の免疫自動分析を行う場合に必要な前処理工程として検体を所要の倍率に希釈する工程が必要であり、試薬の特性によっては希釈を数十万倍に希釈する必要があるが、従来のこの種の希釈装置としては、特許文献１や特許文献２に示すものが知られている。【０００３】
【特許文献１】特開平０８−２７１５２８号公報
【０００４】
【特許文献２】特開平０６−２７３４２３号公報
【発明の開示】
【発明が解決しようとする課題】
【０００５】
しかしながら、上記従来の各種希釈装置にあっては、複数個の希釈容器を水平方向に移送して希釈位置・希釈液廃棄位置・洗浄位置・乾燥位置へと順次移送するように構成されているため、装置が大型化し、設置スペースを広く確保しなければならず、また、希釈液を廃棄した後に洗浄する場合、希釈液吸引廃棄・洗浄水供給・洗浄水吸引廃棄という工程が必要であり、キャリーオーバーを防止するためには、複数段の洗浄工程を必要とするため、装置が複雑大型化し、コスト高となり、また、温度の影響を受け易い免疫分析において、最適な反応温度を得ることができない、という問題を有していた。【０００６】
この発明は、かかる現状に鑑み創案されたものであって、その目的とするところは、希釈カップを垂直方向（縦方向）に移送することで、設置スペースを大幅に減少させることができるとともに、廃棄する希釈液や洗浄水を下方に自重落下或いは吸引ポンプで強制廃棄することで、キャリーオーバーを確実に防止することができると共に、温度の影響を受け易い免疫分析において、最適な反応温度を得ることができる希釈装置を廉価に提供しようとするものである。
【課題を解決するための手段】
【０００７】
上記目的を達成するため、この発明にあっては、希釈装置を、上部に開設されてなるピペット用開口の真下に順次移送される断面略凹状のカップが周方向に沿って複数個形成されてなるロータと、該ロータを垂直方向へと回転させてカップを液注入位置・液廃棄位置・洗浄位置・エアー吐出位置へと順次移送するように回転制御するロータ駆動装置と、上記液廃棄位置に前後進可能に配置され上記カップ内に水及び／又は洗剤を吐出・吸引する水・洗剤供給装置と、上記洗浄位置に配置され上記カップ内に洗浄水を供給する洗浄装置と、上記エアー吐出位置に配置され上記カップ内に乾燥用エアーを吐出するエアー供給装置と、を有して構成され、上記液廃棄位置・洗浄位置内の液体は、下方に自重落下或いはポンプで強制廃棄するように構成したことを特徴とするものである。【０００８】
また、前記ロータには、前記カップ間に放射状のエアー流路を開設し、該エアー流路は、ロータの中心に開設されたエアー供給口からエアーが供給可能に連通接続されていることを特徴とするものである。
【発明の効果】
【０００９】
それ故、この発明にあっては、希釈カップを垂直方向（縦方向）に移送することで、設置スペースを大幅に減少させることができるとともに、廃棄する希釈液や洗浄水を下方に自重落下或いは吸引ポンプで強制廃棄することで、キャリーオーバーを確実に防止することができる。
【発明を実施するための最良の形態】
【００１０】
以下、添付図面に示す一実施形態例に基づきこの発明を詳細に説明する。【００１１】
図１は、この発明の一実施形態例に係る希釈装置の正面図を、図２は同希釈装置の平面図を、図３は同希釈装置の右側面図を、図４は図３のＢ−Ｂ線断面図を夫々示している。【００１２】
この一実施形態例に係る希釈装置Ａは、ロータ１と、該ロータ１の周方向に沿って所要間隔毎に開設されてなる断面略凹状に形成されてなるカップ２，２，２‥と、該カップ２，２，２‥をロータ１の上部に開設されてなるピペット用開口３（図２参照）の真下の液注入位置ａから液廃棄位置ｂ・洗浄位置ｃ・エアー吐出位置ｄへと順次移送するように回転制御するロータ駆動装置４と、上記液廃棄位置ｂに前後進可能に配置され上記カップ２内に水及び／又は洗剤を吐出・吸引する水・洗剤供給装置５と、上記洗浄位置ｃに配置され上記カップ２内に洗浄水を供給する洗浄装置６と、上記エアー吐出位置ｄに配置され上記カップ２内に乾燥用エアーを吐出するエアー供給装置７と、を有して構成され、上記液廃棄位置ｂ・洗浄位置ｃ内の液体は、下方に自重落下或いはポンプ（図示せず）で強制廃棄されるように構成されている。【００１３】
また、上記ロータ１には、前記カップ２，２，２‥間には放射状のエアー流路８，８，８‥を開設し、該エアー流路８，８，８‥は、ロータ１の中心に開設されたエアー供給口９からエアーが供給可能に連通接続されている。【００１４】
上記ピペット用開口３は、検体或いは希釈液を所要量吸引したピペット（図示せず）が挿脱され、検体を検査目的に対応して２倍から数十万倍（例えば７０万倍）に希釈する。例えば、カップ２内で１５倍に希釈された希釈液を再度吸引して次のカップ２内で同じ倍率の１５倍希釈という具合に、１５倍希釈を続けて６回行ったり、１０倍希釈を連続して７回行うことで、７０万倍希釈を容易に実行することができる。尚、このピペットの構造や駆動制御手段は公知のものを適用することができるので、ここではその詳細な説明を省略する。【００１５】
ロータ１を回転制御するロータ駆動装置４は、ロータ１を従来の水平方向とは異なり垂直方向（縦方向）へと回転させてカップ２を液注入位置ａから液廃棄位置ｂ・洗浄位置ｃ・エアー吐出位置ｄへと順次移送するもので、図４に示すように、モータ１０からの回転力がベルト１１を介してロータ回転軸１２へと伝達され、図示しない回転制御回路によって間欠回転制御される。【００１６】
水・洗剤供給装置５は、上記液廃棄位置ｂに前後進可能に配置され上記カップ２内に水及び／又は洗剤を吐出・吸引するもので、カップ２が該位置ｂに到達すると、カム１３が回転してノズル１４が前進してカップ２内の希釈液を吸引して廃棄し、その後、該ノズル１４から洗浄水が噴射吐出される。【００１７】
この後、上記洗浄水が注入されたカップ２が洗浄位置ｃまで移送されると、該カップ２内の洗浄水は廃棄され、さらに洗浄装置６から洗浄水が供給される。尚、洗浄装置６は、水・洗剤供給装置５と同様、カム１５が回転してノズル１６が前進してカップ２内の洗浄水を吸引して廃棄し、その後、該ノズル１６から洗浄水が噴射吐出される。尚、上記洗浄水は自重落下させてもよい。【００１８】
洗浄装置６で供給された洗浄水は、カップ２が最下降位置に到達すると、自重落下して全て廃棄され、この後、該カップ２は上記エアー吐出位置ｄへと送られる。【００１９】
エアー供給装置７は、カム１７が回転してエアーノズル１８が前進してカップ２内に乾燥用エアーを噴射し、カップ２を強制乾燥すると共に、該乾燥エアーの温度を制御することで、温度の影響を受け易い免疫分析において、最適な反応温度を得ることができる。勿論、これによりカップ２内は完全に洗浄され、キャリーオーバーを確実に防止することができる。【００２０】
この実施形態例に係る希釈装置Ａは、希釈用のカップ２を垂直方向（縦方向）に移送することで、小型化でき、設置スペースを大幅に減少させることができるとともに、廃棄する希釈液や洗浄水を下方に自重落下或いは吸引ポンプで強制廃棄した後、エアーで強制乾燥し、カップ２を強制的に加熱するように構成したので、キャリーオーバーを確実に防止することができると共に、温度の影響を受け易い免疫分析において、最適な反応温度を得ることができる
【図面の簡単な説明】
【００２１】
【図１】この発明の一実施形態例に係る希釈装置の正面図である。
【図２】同希釈装置の平面図である。
【図３】同希釈装置の右側面図である。
【図４】図３のＢ−Ｂ線断面図である。符号の説明
【００２２】
Ａ  希釈装置
１  ロータ
２，２‥  カップ
３  ピペット用開口
４  ロータ駆動装置
５  水・洗剤供給装置
６  洗浄装置
７  エアー供給装置
８，８，８‥  エアー流路
９  エアー供給口
ａ  液注入位置
ｂ  液廃棄位置
ｃ  洗浄位置
ｄ  エアー吐出位置
【図１】
2009090990.tif 000003
【図２】
2009090990.tif 000004
【図３】
2009090990.tif 000005
【図４】
2009090990.tif 000006
【国際調査報告】
2009090990.tif 000007
2009090990.tif 000008
2009090990.tif 000009
2009090990.tif 000010